(57)【要約】【課題】足場材を、横揺れさせることなく安定姿勢で支持することによって、安全性を高めることのできる瓦屋根用の足場金具を提供する。【解決手段】瓦屋根上で工事を行う際の略水平方向に延びる足場材Ｆを支持するための足場金具であって、縦長板状の金具本体２の上端部に掛止凹部５を横設すると共に、下端部に略Ｕ字状の支え部６を形成し、前記掛止凹部５を、前記瓦Ｔ３の上部を瓦桟Ｂに固定するための釘Ｎに前記瓦Ｔ３の上から掛止すると共に、前記支え部６で前記足場材Ｆを支持し、しかも、前記瓦Ｔ３の上部に、下部が重なる前記瓦Ｔ３の上側に位置する瓦Ｔ４の下端縁に当接する部位を有する固定部材１０を、前記金具本体２に対して上下方向にスライド自在かつ固定自在に設ける。【選択図】      図１
2004190271.tif 000002
【特許請求の範囲】
【請求項１】
瓦屋根上で工事を行う際の略水平方向に延びる足場材を支持するための足場金具であって、
縦長板状の金具本体の上端部に掛止凹部を横設すると共に、下端部に略Ｕ字状の支え部を形成し、前記掛止凹部を、前記瓦の上部を瓦桟に固定するための釘に前記瓦の上から掛止すると共に、前記支え部で前記足場材を支持し、
しかも、前記瓦の上部に、下部が重なる前記瓦の上側に位置する瓦の下端縁に当接する部位を有する固定部材を、前記金具本体に対して上下方向にスライド自在かつ固定自在に設けてなることを特徴とする瓦屋根用足場金具。
【請求項２】
前記金具本体に、前記掛止凹部の出入り口を開閉する開閉板を設けてなることを特徴とする請求項１に記載の瓦屋根用足場金具。
【請求項３】
前記金具本体と前記開閉板に、該開閉板の閉状態を維持するための止め機構を設けてなることを特徴とする請求項２に記載の瓦屋根用足場金具。
【発明の詳細な説明】
【０００１】
【発明の属する技術分野】
本発明は、瓦屋根上で工事を行う際の足場材を支持する足場金具に関するものである。
【０００２】
【従来の技術】
従来、建物の瓦屋根上で工事を行う際の足場を支持するために、図５に示すような足場金具３０を使用している。
この足場金具３０は、その金具本体を、先端部に掛止凹部５を横設した肉薄の掛止板部３と、その掛止板部３から垂下設され、下端部に略Ｕ字状の支え部６を有する肉厚の支持板部４とで構成され、掛止凹部５を瓦を瓦桟に固定するための釘Ｎに掛止し、支え部６で略水平方向に延びる足場材を支持している。
【０００３】
この足場金具３０は、構成が簡単であるため廉価であり、また、釘Ｎに掛止するようにしているので、取付けおよび取外しが容易であると言った利点がある。
【０００４】
【発明が解決しようとする課題】
しかしながら、この従来の足場金具３０は、その掛止凹部５を釘Ｎに掛止することによって取付けるので、掛止凹部５がそれを軸として左右方向へ回動し易く、そのため足場材が横揺れして不安定になり、結果として安全性に欠けるといった問題がある。
【０００５】
そこで、本発明の目的とするところは、足場材を、横揺れさせることなく安定姿勢で支持することによって、安全性を高めることのできる瓦屋根用の足場金具を提供することにある。
【０００６】
【課題を解決するための手段】
上記の目的を達成するために、本発明の請求項１に記載の瓦屋根用足場金具（１）は、瓦屋根上で工事を行う際の略水平方向に延びる足場材（Ｆ）を支持するための足場金具であって、縦長板状の金具本体（２）の上端部に掛止凹部（５）を横設すると共に、下端部に略Ｕ字状の支え部（６）を形成し、前記掛止凹部（５）を、前記瓦（Ｔ３）の上部を瓦桟（Ｂ）に固定するための釘（Ｎ）に前記瓦（Ｔ３）の上から掛止すると共に、前記支え部（６）で前記足場材（Ｆ）を支持し、しかも、前記瓦（Ｔ３）の上部に、下部が重なる前記瓦（Ｔ３）の上側に位置する瓦（Ｔ４）の下端縁に当接する部位を有する固定部材（１０）を、前記金具本体（２）に対して上下方向にスライド自在かつ固定自在に設けてなることを特徴とする。
【０００７】
また、請求項２に記載の瓦屋根用足場金具（１）は、前記金具本体（２）に、前記掛止凹部（５）の出入り口（５ａ）を開閉する開閉板（２０）を設けてなることを特徴とする。
【０００８】
さらに、請求項３に記載の瓦屋根用足場金具（１）は、前記金具本体（２）と前記開閉板（２０）に、当該開閉板（２０）の閉状態を維持するための止め機構（２２）を設けてなることを特徴とする。
【０００９】
なお、カッコ内の記号は、図面および後述する発明の実施の形態に記載された対応要素または対応事項を示す。
【００１０】
本発明の請求項１に記載の瓦屋根用足場金具によれば、金具本体の上端部に横設した掛止凹部を釘に掛止すると共に、下端部に形成した支え部で足場材を支持し、さらに、金具本体に、瓦の下端縁に当接する部位を有する固定部材を設けたので、当該固定部材を瓦の下端縁に当接させることによって、足場金具が掛止凹部を軸として左右方向へ回動するのを未然に防止することができる。
従って、足場材の横揺れを未然に防止することができる。
【００１１】
また、この固定部材は、金具本体に上下方向にスライド自在かつ固定自在に設けているので、瓦の長さに対応して、その上端縁を当該瓦の下端縁に正確に当接させ、その状態で固定することができる。
従って、あらゆる瓦屋根に安定姿勢で取付けることができる。
【００１２】
また、請求項２に記載の発明によれば、請求項１に記載の発明の作用効果に加えて、金具本体に、掛止凹部の出入り口を開閉する開閉板を設けたので、掛止凹部を釘に係止した後、当該掛止凹部の出入り口をこの開閉板で閉鎖することにより、掛止凹部が釘から外れてしまうのを防止することができる。
【００１３】
さらに、請求項３に記載の発明によれば、請求項２に記載の発明の作用効果に加えて、金具本体と開閉板に、当該開閉板の閉状態を維持するための止め機構を設けたので、掛止凹部が釘から外れてしまうのを、より確実に防止することができる。
【００１４】
【発明の実施の形態】
図１および図２を参照して本発明の実施形態に係る瓦屋根用足場金具１について説明する。図１は、足場金具１を瓦屋根に取付けた状態を示す正面図である。また、図２は、その足場金具１を示すもので、（ａ）は正面図、（ｂ）は側面図、（ｃ）は背面図である。従来例で示したものと同一部分には同一符号を付した。なお、図１において瓦Ｔ２の列は瓦Ｔ１の列よりも一段高い位置にあり、瓦Ｔ２の下部は瓦Ｔ１の上部に重なっている。また、瓦Ｔ３の列は瓦Ｔ２の列よりも一段高い位置にあり、瓦Ｔ３の下部は瓦Ｔ２の上部に重なっている。また、瓦Ｔ４の列は瓦Ｔ３の列よりも一段高い位置にあり、瓦Ｔ４の下部は瓦Ｔ３の上部に重なっている。
【００１５】
本発明の実施形態に係る瓦屋根用足場金具１は、瓦屋根上で工事を行う際の略水平方向に延びる足場材Ｆを支持するためのものであり、縦長板状の金具本体２の上端部に掛止凹部５を横設すると共に、下端部に略Ｕ字状の支え部６を形成している。掛止凹部５は、瓦Ｔ３を瓦桟Ｂに固定するための釘Ｎに瓦Ｔ３の上から掛止させるものであり、支え部６は、足場材Ｆを下から支持するものである。
そして、金具本体２に、瓦Ｔ３の上部に、下部が重なる前記瓦Ｔ３の上側に位置する瓦Ｔ４の下端縁に当接する部位（後述する返し片１２）を有する固定部材１０を、上下方向にスライド自在かつ固定自在に設けている。
【００１６】
この瓦屋根用足場金具１は、金具本体２に、上端縁が瓦Ｔ４の下端縁に当接する固定部材１０を設けているので、当該固定部材１０の上端縁を瓦Ｔ４の下端縁に当接させることによって、足場金具１が掛止凹部５を軸として左右方向へ回動するのを未然に防止することができる。
従って、足場材Ｆの横揺れを未然に防止することができ、作業の安全性を高めることができる。
【００１７】
なお、本実施形態に係る足場金具１は、金具本体２の掛止凹部５を含む略上半部を、肉薄の掛止板部３とし、支え部６を含む略下半部をそれより肉厚の支持板部４としている。
従って、肉薄の掛止板部３を、重合している二枚の瓦Ｔ３，Ｔ４の間に容易に挿入することができ、掛止凹部５を釘Ｎに簡単に掛止させることができる。また、肉厚の支持板部４に支え部６を形成しているので、足場材Ｆを安定姿勢で支持することができる。
【００１８】
また、この足場金具１は、固定部材１０を、スライド板１１の中央部に縦孔１１ａを穿設し、その上端部に返し片１２を突設して構成しており、金具本体２に固定したボルト１３を、縦孔１１ａに挿通させ、そのボルト１３に蝶ナット１４を螺合して組付けている。
従って、蝶ナット１４を緩めた状態で固定部材１０を上下方向にスライドさせ、返し片１２が瓦Ｔ４の下端縁に当接した状態で蝶ナット１４を締め付けて固定する。
【００１９】
なお、本発明に係る足場金具１は上記実施形態に限定されるものではなく、例えば図３および図４に示すように、金具本体２に、掛止凹部５の出入り口５ａを開閉する開閉板２０を設けると共に、当該開閉板２０の閉状態を維持するための止め機構２２を設けて、足場金具１が釘Ｎから外れてしまう危険性を回避することができる。
【００２０】
この場合、開閉板２０は、金具本体２の掛止凹部５より上位または下位の部分に軸ピン２１によって回動自在に取付けることができる。また、止め機構２２は、例えば、開閉板２０に孔部２３を穿設すると共に、金具本体２に突起部２４を形成して構成し、当該孔部２３に突起部２４を挿通して係止させることができる。
【００２１】
【発明の効果】
本発明の請求項１に記載の瓦屋根用足場金具によれば、金具本体の上端部に横設した掛止凹部を釘に掛止すると共に、下端部に形成した支え部で足場材を支持し、さらに、金具本体に、瓦の下端縁に当接する部位を有する固定部材を設けたので、当該固定部材を瓦の下端縁に当接させることによって、足場金具が掛止凹部を軸として左右方向へ回動するのを未然に防止することができる。従って、足場材の横揺れを防止することができ、作業の安全性を高めることができる。
【００２２】
また、この固定部材は、金具本体に上下方向にスライド自在かつ固定自在に設けているので、瓦の長さに対応して、その上端縁を当該瓦の下端縁に正確に当接させ、その状態で固定することができる。従って、あらゆる瓦屋根に安定した姿勢で取付けることができる。
【００２３】
また、請求項２に記載の発明によれば、請求項１に記載の発明の作用効果に加えて、金具本体に、掛止凹部の出入り口を開閉する開閉板を設けたので、釘を係止した後、掛止凹部の出入り口をこの開閉板で閉鎖することにより、掛止凹部が釘から外れてしまうのを防止することができる。これにより、安全性をさらに高めることができる。
【００２４】
さらに、請求項３に記載の発明によれば、請求項２に記載の発明の作用効果に加えて、金具本体と開閉板に、当該開閉板の閉状態を維持するための止め機構を設けたので、掛止凹部が釘から外れてしまうのを、より確実に防止することができる。
【図面の簡単な説明】
【図１】本発明の実施の形態に係る足場金具を瓦屋根に取付けた状態を示す正面図である。
【図２】図１に示す足場金具を示すもので、（ａ）は正面図、（ｂ）は側面図、（ｃ）は背面図である。
【図３】本発明の他の実施の形態に係る足場金具を示す部分正面図である。
【図４】本発明のさらに他の実施の形態に係る足場金具を示す部分正面図である。
【図５】従来例に係る足場金具を示すもので、（ａ）は正面図、（ｂ）は側面図、（ｃ）は背面図である。
【符号の説明】
１      足場金具
２      金具本体
３      掛止板部
４      支持板部
５      掛止凹部
５ａ    出入り口
６      支え部
１０      固定部材
１１      スライド板
１１ａ    縦孔
１２      返し片
１３      ボルト
１４      蝶ナット
２０      開閉板
２１      軸ピン
２２      止め機構
２３      孔部
２４      突起部
３０      足場金具
Ｎ      釘
Ｆ      足場材
Ｔ（Ｔ１〜Ｔ４）      瓦
Ｂ      瓦桟
【図１】
2004190271.tif 000003
【図２】
2004190271.tif 000004
【図３】
2004190271.tif 000005
【図４】
2004190271.tif 000006
【図５】
2004190271.tif 000007